(57)【要約】【課題】液面が容器の注ぎ口付近まで上昇したこと又は所望の高さまで液面が上昇したことを容易に検知できるようにした漏斗を提供する。【解決手段】下部に小径の排出口２を有する漏斗本体１を設け、排出口２に遊嵌して上下に移動可能な細長いガイド棒４を設け、該ガイド棒４の下端部に液体に浮遊し排出口２を開閉する浮き本体５を固着し、漏斗本体１の上部にガイド棒４を上下動可能に支持する支持具６を設ける。ここでガイド棒４の途中に漏斗本体１の排出口２を開閉する調節駒１８を上下動調節可能に嵌合させてもよい。【選択図】　図１
2004067227.tif 000002
【特許請求の範囲】
【請求項１】
下部に小径の排出口を有する漏斗本体を設け、前記排出口に遊嵌して上下に移動可能な細長いガイド棒を設け、該ガイド棒の下端部に液体に浮遊し前記排出口を開閉する浮き本体を固着し、前記漏斗本体の上部に前記ガイド棒を上下動可能に支持する支持具を設けたことを特徴とする漏斗。
【請求項２】
ガイド棒の途中に漏斗本体の排出口を開閉する調節駒を上下動調節可能に嵌合させた請求項１に記載の漏斗。
【請求項３】
ガイド棒を上下に伸縮可能に形成した請求項１又は２に記載の漏斗。
【発明の詳細な説明】
【０００１】
【発明の属する技術分野】
本発明は、液体を容器に注ぐ際に用いる漏斗、特に、液面が容器の注ぎ口付近まで上昇したこと又は所望の高さまで液面が上昇したことを容易に検知できるようにした漏斗に関する。
【０００２】
【従来の技術】
従来、一般に使用されている漏斗は、上方が広く開口し下方に向かって徐々に窄まって下端部に小径の排出口を形成したものである。そして、下端部の小径の排出口を容器上端の注ぎ口に差し込み、液体を上方の開口に注ぎ、排出口から容器内に流下させる。その際、注意が足りなかったり、容器が不透明で容器内を目視できない場合などは、知らぬ間に液体が容器から溢れ出てしまうことがあった。また、容器の所望の深さまで液体を注ぎたい場合には、不透明容器では漏斗を取外して何度も内容量を確認しながら作業を行う必要があり、また、透明容器の場合でも容器内の液面に常に注意しながら作業を行う必要があり、作業能率が悪かった。
【０００３】
【発明が解決しようとする課題】
そこで、本発明は、液面が容器の注ぎ口付近まで上昇したこと又は所望の高さまで液面が上昇したことを容易に検知できるようにした漏斗を提供することを目的とする。
【０００４】
【課題を解決するための手段】
上記課題を解決するために、本発明による漏斗は、下部に小径の排出口を有する漏斗本体を設け、前記排出口に遊嵌して上下に移動可能な細長いガイド棒を設け、該ガイド棒の下端部に液体に浮遊し前記排出口を開閉する浮き本体を固着し、前記漏斗本体の上部に前記ガイド棒を上下動可能に支持する支持具を設けたこと、を特徴としている。
ここで、ガイド棒の途中に漏斗本体の排出口を開閉する調節駒を上下動調節可能に嵌合させてもよい。
また、ガイド棒を上下に伸縮可能に形成してもよい。
【０００５】
【発明の実施の形態】
以下、本発明の実施の形態を図面に基づいて説明する。図１は本発明の実施例を示す断面図、図２は他の実施例を示す断面図、図３は上下に伸縮可能なガイド棒の断面図である。
【０００６】
図１において、符号１は漏斗本体で、一般の漏斗と同様、上方が広く開口し下方に向かって徐々に窄まって下端部に小径の排出口２をもつ。符号３は浮き具で、漏斗本体１の排出口２に遊嵌して上下に移動可能な細長いガイド棒４と、その下端部に固着された液体に浮遊する浮き本体５からなる。浮き本体５は発泡スチロールやバルサ材等の浮力の大きな材料からなり、また、ガイド棒４も軽量材からなる。浮き本体５は、下部を残してその上端部が漏斗の排出口２に下方から上方に向かって嵌合する形状に形成して、排出口２を開閉可能な形状としてある。なお、浮き本体５は排出口２を開閉する機能を有すれば、図示のように排出口２に嵌合する形状でなくともよい。本発明において排出口２を開閉するとは、排出口２を完全に塞ぐ場合だけでなく、排出口２を狭めて、排出口２から流下する液量を絞りこむことができる場合も含まれる。
図示において、漏斗下端の排出口２は下方に向かって僅かに大径となるように形成してあり、一方、浮き本体５は、その上端縁部に丸みをもたせ、下方に向かって若干大径となるように形成して、浮き本体５の上端部が排出口２に嵌まり込み易くしてある。
【０００７】
漏斗本体１の上端部にはガイド棒４を上下動可能に支持する支持具６を設けてある。この支持具６は、漏斗本体１の上端部に直径方向に載置され、中央部にガイド棒４が遊嵌するガイド孔７を形成した支持棒８と、この支持棒８の両端部を摺動可能に支持しつつ漏斗本体１の上端面に載置される係止具９とからなる。係止具９は支持棒８の端部が径方向に摺動可能な貫通孔１０と、周方向に延びて漏斗本体１の上端部が嵌まる係止溝１１とを有する。ガイド孔７は支持棒８の左右途中から斜め下方、中心方向に向けて枝を分岐させ、その中央部にも形成してあり、上下２箇所のガイド孔７，７でガイド棒８を支持するようにしてある。支持棒８の両端部にはストッパー１２，１２を設けて、係止具９の貫通孔１０から支持棒８が脱落しないようにしてある。なお、支持具６は、ガイド棒４を上下動可能に支持するものであれば、図示した構造のものに限られない。
【０００８】
ガイド棒４の上端にはガイド孔７より大径のストッパー１３を設けて、ガイド棒４（浮き具３）がガイド孔７（支持具６）から下方に抜け落ちないようにしてある。ガイド棒４はその下端部を浮き本体５の上端部に螺子嵌合させて、浮き本体５から着脱可能に取り付けてある。なお、ガイド棒４は、図３に示すように、上下に伸縮可能に形成してもよい。
【０００９】
次に、かかる実施例による漏斗の使用方法を説明する。図１に示すように、漏斗本体１に浮き具３（浮き本体５とガイド棒４）と支持具６を装着する。ガイド棒４の上部を持ち、容器１４の注ぎ口１５に浮き本体５と漏斗の排出口部２’を差し込む。ガイド棒４を放すと、浮き具３は下方に落下し、仮想線で示すように、ストッパー１３がガイド孔７部の上端面に係止され、これ以上の落下が防止される。
【００１０】
この状態で、漏斗本体１の上部開口から液体を注ぐと、液体は排出口２から容器１４内に流下していく。容器１４内に注がれた液体の量が増えてくると、浮き本体５はその浮力により液面の上昇に従って上昇する。その際、ガイド棒４は排出口２、ガイド孔７，７内を上昇していくので、浮き具３（浮き本体５とガイド棒４）は傾斜することなく、真っ直ぐ上方へと上昇していく。そして、液面１６が容器１４の注ぎ口１５付近まで上昇すると、浮き本体１５の上端部が漏斗の排出口２に下方から上方に向かって嵌合し、排出口２が略塞がれる。このため、漏斗本体１内へ注がれる量に比べ排出口２から容器１４内へ流下する量が僅かとなり、漏斗本体１内に溜まるようになるので、液面１６が容器１４の注ぎ口１５付近まで上昇したことを容易に検知できる。従って、この状態になったならば漏斗本体１内へ液体を注ぐのを止めればよい。
【００１１】
なお、漏斗本体１内に溜まった余分の液体は、排出口２から流下しないよう、ガイド棒４を上方に持ち上げ、浮き本体５が排出口２を塞いだ状態で、容器の注ぎ口１５から漏斗を取外し、元に戻せばよい。
【００１２】
図２に示した他の実施例による漏斗は、ガイド棒４の外周に雄ねじ１７を形成し、この雄ねじ１７に螺子嵌合する調節駒１８をガイド棒４の途中に上下動調節可能に設けたもので、他の構造は図１に示したものと略同様である。調節駒１８は上述した浮き本体５と同様、下部を残してその上端部が漏斗の排出口２に下方から上方に向かって嵌合する形状に形成して、排出口２を開閉可能な形状としてある。なお、ガイド棒４に調節駒１８を螺子嵌合させて上下動調節可能に形成したものを示したが、調節駒１８を弾性体により形成しガイド棒の途中に上下動調節可能に嵌合させる等他の方法によってもよい。
図２に示した支持具６は、支持棒８の両端部を径方向に伸縮可能に形成したもので、上端部の径が異なる漏斗本体１にも適用できる。
【００１３】
次に、図２に示した漏斗の使用方法を説明する。先ず、容器１４内に入れようとする液体の液面位置に浮き本体５が位置するように、ガイド棒４に嵌合させた調節駒１８の上下位置を調節する。このように調節駒１８の上下位置を決めた上で、ガイド棒４の上部を持って、浮き具３の下部、漏斗の排出口部２’を容器の注ぎ口１５に装着する。ガイド棒４を放すと、浮き具３は下方に落下し、ストッパー１３がガイド孔７部の上端面に係止され、これ以上の落下が防止される。
【００１４】
この状態で、漏斗本体１の上部開口から液体を注ぐと、上述したと同様、液体は排出口２から容器１４内に流下し、浮き本体５はその浮力により液面の上昇に従って上昇する。その際、ガイド棒４は排出口２、ガイド孔７内を上昇し、浮き具３は傾斜することなく、真っ直ぐ上方へと上昇していく。そして、液面１６が所望の高さまで上昇すると、調節駒１８の上端部が漏斗の排出口２に下方から上方に向かって嵌合し、排出口２が略塞がれ、漏斗本体１内に液体が溜まるようになり、液面が所望の高さまで達したことを容易に検知できる。従って、この状態になったならば漏斗本体１内へ液体を注ぐのを止めればよい。
【００１５】
なお、調節駒１８をガイド棒４の最下部に位置決めした場合には、仮想線で示したように、容器の注ぎ口１５付近まで液面１６が達したことを検知できる。ガイド棒４を上下伸縮可能に形成し、ガイド棒４を上下に長く引き伸ばせば、深さの深い容器１４にも適用可能となる。
【００１６】
【発明の効果】
以上説明したように、請求項１に係る発明によれば、液面が容器の注ぎ口付近まで上昇すると、浮き本体が漏斗の排出口を狭めるため、漏斗内に液体が溜まるようになり、液面が容器の注ぎ口付近まで上昇したことを容易に検知できる。
また、請求項２に係る発明によれば、ガイド棒の途中に漏斗本体の排出口を開閉する調節駒を上下動調節可能に嵌合させたので、液面が容器の所望の高さまで上昇すると、調節駒により漏斗の排出口が狭められ、漏斗内に液体が溜まるようになり、液面が所望の高さまで達したことを容易に検知できる。
また、請求項３に係る発明によれば、ガイド棒を上下に伸縮可能に形成したので、収納の際などガイド棒を縮めてコンパクトにでき、また、深さのある容器にも適用可能となる。
【図面の簡単な説明】
【図１】本発明の実施例を示す断面図。
【図２】他の実施例を示す断面図。
【図３】上下に伸縮可能なガイド棒の断面図。
【符号の説明】
１　漏斗本体
２　排出口
２’　排出口部
３　浮き具
４　ガイド棒
５　浮き本体
６　支持具
７　ガイド孔
８　支持棒
９　係止具
１０　貫通孔
１１　係止溝
１２　ストッパー
１３　ストッパー
１４　容器
１５　注ぎ口
１６　液面
１７　雄ねじ
１８　調節駒
【図１】
2004067227.tif 000003
【図２】
2004067227.tif 000004
【図３】
2004067227.tif 000005